(57)【要約】      （修正有）【課題】ブレーキ板の摩擦面積を大きくさせるスピニングリールを提供する。【解決手段】本体と、該本体に取付けられるハンドルと、該ハンドルの回転操作に連動回転されるローターと、該ハンドルの回転操作に伴ってその軸線方向に往復動する往復動軸と、該往復動軸の他端部定位されるスプールと、該ローターの回転と共に釣糸を該スプールに案内して巻き付けるベール手段とを備えている魚釣り用スピニングリールにおいて、前記スプール４０は、円筒体であり、その釣糸を巻き付けるための部分内が、仕切り板４４によって前記他端部の側から前記一端部の側へとブレーキ室としての第１室４２２と同軸の内外２筒を有する二重円筒構造の第２室４２１とに分けられており、前記ブレーキ室内に前記スプールを制動するためのブレーキ手段が設けられており、また、該内筒は前記往復動軸の他端部に回転可能に外嵌していることを特徴とする魚釣り用スピニングリールを提供する。【選択図】図７
2005058087.tif 000002
【特許請求の範囲】
【請求項１】
本体と、該本体に取付けられている回転操作用のハンドルと、該ハンドルの回転操作に連動回転されるように該本体に取付けられているローターと、その一端部が該ハンドルに連動し、該ハンドルの回転操作に伴ってその軸線方向に往復動することができるように該本体に設けられている往復動軸と、該往復動軸の他端部の所定位置に定位手段によって定位されると共に回転可能に外嵌していて該往復動軸の往復動に伴って往復動することができるスプールと、該ローターの回転と共に該スプールの周りに回転することができるように設けられていて釣糸を該スプールに案内して巻き付けるベール手段とを備えている魚釣り用スピニングリールにおいて、
前記スプールは、円筒体であり、その釣糸を巻き付けるための部分内が、仕切り板によって前記他端部の側から前記一端部の側へとブレーキ室としての第１室と同軸の内外２筒を有する二重円筒構造の第２室とに分けられており、
前記ブレーキ室内に前記スプールを制動するためのブレーキ手段が設けられており、
また、該内筒は前記往復動軸の他端部に回転可能に外嵌していることを特徴とする魚釣り用スピニングリール。
【請求項２】
本体と、該本体に取付けられている回転操作用のハンドルと、該ハンドルの回転操作に連動回転されるように該本体に取付けられているローターと、該ローターの中心部から突出してローターの軸線方向に延伸し、且つ、そのローター内側の一端部が該ハンドルに連動し、該ハンドルの回転操作に伴って該ローターの軸線延伸方向上に往復動することができるように該本体に設けられている往復動軸と、該往復動軸の他端部の所定位置に定位手段によって定位されると共に回転可能に外嵌していて該往復動軸の往復動に伴って該ローターの軸線延伸方向上に往復動することができるスプールと、該ローターの回転と共に該スプールの周りに回転することができるように設けられていて釣糸を該スプールに案内して巻き付けるベール手段とを備えている魚釣り用スピニングリールにおいて、
前記スプールは、円筒体であり、その釣糸を巻き付けるための部分内が、仕切り板によって前記他端部の側から前記一端部の側へとブレーキ室としての第１室と同軸の内外２筒を有する二重円筒構造の第２室とに分けられており、
前記ブレーキ室内に前記スプールを制動するためのブレーキ手段が設けられており、
また、前記内筒は前記往復動軸の他端部に回転可能に外嵌していることを特徴とする魚釣り用スピニングリール。
【請求項３】
前記内筒は軸受けを介して前記往復動軸の他端部に回転可能に外嵌していることを特徴とする請求項２に記載の魚釣り用スピニングリール。
【請求項４】
前記円筒体スプールの前記他端部の方にある第１端に第１の開口端となり、前記一端部の方にある第２端に第２の開口端となっており、
前記往復動軸の前記他端部の、前記第１室内にある先端部に雄ネジがついており、前記第２室の前記一端部へ向かう側の室外に止め板が張出しになっており、
また、前記第１の開口端より大きくて前記スプール外に置かれているヘッド部と、該ヘッド部の中心部から前記第１の開口端を経由して前記第１室内に突入し、且つ、前記雄ネジ付きの先端部にネジ付けられている雌ネジ付きの突柱とからなった調整ノブが設けられており、
前記ブレーキ手段として、前記突柱と前記仕切り板との間に第１のブレーキ板手段が挟まれており、前記第２の開口端と前記止め板との間に第２のブレーキ板手段が挟まれており、
それにより、前記調整ノブと前記ブレーキ手段と前記止め板とを前記定位手段として前記スプールを前記往復動軸の他端部の所定位置に定位させると同時に、前記ヘッド部を回転により前記第１の開口端に対し進めたり退けたりすると、前記突柱の前記第１のブレーキ板手段を前記仕切り板に押し付ける力、及び、前記第２の開口端の前記第２のブレーキ板手段を前記止め板に押し付ける力を同時に変更させ、前記２つのブレーキ板手段の前記スプールに対する挟持力を調整し、スプールの回転への制動力に対する調整手段として使用することができることを特徴とする請求項２または３に記載の魚釣り用スピニングリール。
【請求項５】
前記スプールは、前記第２の開口端の端縁から輻射方向に張出しになってから前記第２のブレーキ板手段を乗り越えて前記ローターの周りまでに延長してなる囲い筒が更に形成されていることを特徴とする請求項４に記載の魚釣り用スピニングリール。
【請求項６】
前記第１のブレーキ板手段は、前記仕切り板に当接している第１のテフロン（登録商標）板と前記突柱に当接している第１の押さえ板とから合わせてなり、前記第２のブレーキ板手段は、前記第２の開口端端縁の張出し部に当接している第２のテフロン（登録商標）板と前記止め板に当接している第２の押さえ板とから合わせてなったことを特徴とする請求項５に記載の魚釣り用スピニングリール。
【発明の詳細な説明】
【技術分野】
【０００１】
本発明は、魚釣り用スピニングリールに関し、特にスプールに対する制動力を調整することができる魚釣り用スピニングリールに関する。
【背景技術】
【０００２】
従来から、本体と、該本体に取付けられている回転操作用のハンドルと、該ハンドルの回転操作に連動回転されるように該本体に取付けられているローターと、その一端部が該ハンドルに連動し、該ハンドルの回転操作に伴ってその軸線方向に往復動することができるように該本体に設けられている往復動軸と、該往復動軸の他端部の所定位置に回転可能に外嵌していて該往復動軸の往復動に伴って往復動することができるスプールと、該ローターの回転と共に該スプールの周りに回転することができるように設けられていて釣糸を該スプールに案内して巻き付けるベール手段とを備えている魚釣り用スピニングリールがある。
【０００３】
更に具体的に挙げてみると、図１〜図３に示されている従来例の魚釣り用スピニングリール１０は、本体１１と、該本体１１に取付けられている回転操作用のハンドル１２と、該ハンドル１２の回転操作に連動回転されるように該本体１１に取付けられているローター１３と、該ローター１３の中心部から突出してローター１３の軸線方向に延伸し、且つ、そのローター１３内側の一端部が該ハンドル１２に連動し、該ハンドル１２の回転操作に伴って該ローター１３の軸線延伸方向上に往復動することができるように該本体１１に設けられている往復動軸１５と、該往復動軸１５の他端部の所定位置に回転可能に外嵌していて該往復動軸１５の往復動に伴って該ローター１３の軸線延伸方向上に往復動することができるスプール２１と、該ローター１３の回転と共に該スプール２１の周りに回転することができるように設けられていて釣糸を該スプール２１に案内して巻き付けるベール手段１４とを備えている。
【０００４】
この従来例の魚釣り用スピニングリール１０における前記スプール２１は、円筒体であり、該円筒体は前記他端部の側から前記一端部の側へと釣糸を巻き付けるための釣糸巻付け部２１２と前記釣糸巻付け部２１２の端縁から輻射方向に張出しになってから前記ローター１３の周りまでに延長してなる囲い筒２１１とからなっている。図示のように、前記釣糸巻付け部２１２は更にそのほぼ中央部内に設けられている仕切り板２１４によって前記他端部の側から前記一端部の側へと同軸の内外２筒を有する二重円筒構造の第１室と空っぽの第２室とに別れている。即ち、前記仕切り板２１４には、その中心部から突出して前記第１室内に延伸している内筒２１５が形成されている。図示のように、この内筒２１５は前記往復動軸１５の他端部に回転可能に外嵌している。
【０００５】
また、前記円筒体スプール２１の前記他端部の方に端部が開口している。そして、前記往復動軸１５の前記他端部の、前記釣糸巻付け部２１２内にある先端部に雄ネジがついており、前記第２室内の前記第１室寄りの所に止め板１５１が張出しになっている。
【０００６】
また、前記釣糸巻付け部２１２の前記開口端より大きくて前記スプール２１外に置かれているヘッド部２３１と、該ヘッド部２３１の中心部から前記開口端を経由して前記釣糸巻付け部２１２に突入し、且つ、前記雄ネジ付きの先端部にネジ付けられている雌ネジ付きの突柱２３２とからなった調整ノブ２３が設けられている。前記突柱２３２と前記仕切り板２１４との間の前記内筒２１５上にブレーキ板手段２２が挟まれている。
【０００７】
それにより、前記ヘッド部２３１を回転により前記開口端に対し進めたり退けたりすると、前記突柱２３２の前記ブレーキ板手段２２を前記仕切り板２１４に押し付ける力を変更させ、前記ブレーキ板手段２２の前記スプール２１に対する制動力、即ち、魚釣りをする時、引っかけた魚の引き力で、スプール２１が釣糸の繰り出し方向へ回転されるいわゆる逆転をある程度制動し、釣糸が引張られて破断しない範囲内に減速させるための制動力を調整することができる。
【０００８】
しかしながら、該従来例の魚釣り用スピニングリール１０における前記のような制動機構は、ブレーキ板手段２２が前記第１室内の前記内筒２１５上に設置されているので、ブレーキ板手段２２の仕切り板２１４に対する摩擦面積が小さくなる欠点があり、もし、該欠点を軽減させるために本従来例のように内筒２１５の肉厚を減らせば、内筒２１５は弱くて破裂しやすくなる他の欠点が出てくる。
【０００９】
特に、該従来例の魚釣り用スピニングリール１０における前記のような制動機構は、制動力がその釣糸を巻き付けるための部分内に偏って形成されている仕切り板２１４だけにかかるため、逆転に対抗しつつある時、スプール２１が往復動軸１５上に回転しながらゆらゆら揺れる上、応力が内筒２１５と仕切り板２１４との接続部に集中するので、ここから引き裂かれる可能性が大である。
【００１０】
そして、前記のような制動機構は、逆転に対抗しつつある時、スプール２１が往復動軸１５上に回転しながら内筒２１５の内壁全面が往復動軸１５と摩擦するので、前記回転を渋くさせ、特に偏りが起った場合、スプール２１全体の回転を一旦停止させ、釣糸を瞬間に破断させる可能性も大である。
【発明の開示】
【発明が解決しようとする課題】
【００１１】
即ち、本考案は、まず、その制動機構におけるブレーキ板手段が内筒上に設置されていなく、且つ、内筒の肉厚を減少せずに、ブレーキ板手段の仕切り板に対する摩擦面積を大くさせることができる魚釣り用スピニングリールを提供しようとすることを目的とする。
【００１２】
そして、本考案は、その制動機構の制動力がその釣糸を巻き付けるための部分内のほぼ中央位置ばかりでなく、他にも、前記第２室と前記囲い筒との境界部あたりにかかり、制動力が大幅に高まる一方、逆転に対抗しつつある時、スプールが往復動軸上に穏やかに回転することもできる魚釣り用スピニングリールを提供しようとすることを他の目的とする。
【００１３】
そしてまた、本考案は、その制動機構が逆転に対抗しつつある時、スプールが往復動軸上にスムーズに回転できる魚釣り用スピニングリールを提供しようとすることをもう一つの目的とする。
【課題を解決するための手段】
【００１４】
前記目的を達成するために、本考案者は、まず、本体と、該本体に取付けられている回転操作用のハンドルと、該ハンドルの回転操作に連動回転されるように該本体に取付けられているローターと、その一端部が該ハンドルに連動し、該ハンドルの回転操作に伴ってその軸線方向に往復動することができるように該本体に設けられている往復動軸と、該往復動軸の他端部の所定位置に定位手段によって定位されると共に回転可能に外嵌していて該往復動軸の往復動に伴って往復動することができるスプールと、該ローターの回転と共に該スプールの周りに回転することができるように設けられていて釣糸を該スプールに案内して巻き付けるベール手段とを備えている魚釣り用スピニングリール、特に、本体と、該本体に取付けられている回転操作用のハンドルと、該ハンドルの回転操作に連動回転されるように該本体に取付けられているローターと、該ローターの中心部から突出してローターの軸線方向に延伸し、且つ、そのローター内側の一端部が該ハンドルに連動し、該ハンドルの回転操作に伴って該ローターの軸線延伸方向上に往復動することができるように該本体に設けられている往復動軸と、該往復動軸の他端部の所定位置に定位手段によって定位されると共に回転可能に外嵌していて該往復動軸の往復動に伴って該ローターの軸線延伸方向上に往復動することができるスプールと、該ローターの回転と共に該スプールの周りに回転することができるように設けられていて釣糸を該スプールに案内して巻き付けるベール手段とを備えている魚釣り用スピニングリールにおいて、前記スプールは、円筒体であり、その釣糸を巻き付けるための部分内が、仕切り板によって前記他端部の側から前記一端部の側へとブレーキ室としての第１室と同軸の内外２筒を有する二重円筒構造の第２室とに分けられており、前記ブレーキ室内に前記スプールを制動するためのブレーキ手段が設けられており、また、該内筒は前記往復動軸の他端部に回転可能に外嵌していることを特徴とする魚釣り用スピニングリールを提供する。
【発明の効果】
【００１５】
前記構成による魚釣り用スピニングリールは、そのスプールの制動機構におけるブレーキ板手段が内筒のない第１室に設置されているので、第２室内にある内筒の肉厚を減少する必要がないまま、ブレーキ板手段の仕切り板に対する摩擦面積を大くさせることができる。
【００１６】
そして、本考案によると、前記制動機構における内筒は肉厚が厚いため、更にその内筒の内壁に軸受けが設けられ、内筒が該軸受けを介して前記往復動軸の他端部に回転可能に外嵌している魚釣り用スピニングリールをも提供することができる。それにより、前記制動機構が逆転に対抗しつつある時、スプールが往復動軸上にスムーズに回転できる。
【００１７】
また、本考案は、前記円筒体スプールの前記他端部の方にある第１端に第１の開口端となり、前記一端部の方にある第２端に第２の開口端となっており、前記往復動軸の前記他端部の、前記第１室にある先端部に雄ネジがついており、前記第２室の前記一端部へ向かう側の室外に止め板が張出しになっており、また、前記第１の開口端より大きくて前記スプール外に置かれているヘッド部と、該ヘッド部の中心部から前記第１の開口端を経由して前記第１室内に突入し、且つ、前記雄ネジ付きの先端部にネジ付けられている雌ネジ付きの突柱とからなった調整ノブが設けられており、前記突柱と前記仕切り板との間に、前記ブレーキ手段としての第１のブレーキ板手段が挟まれており、前記第２の開口端と前記止め板との間に、第２のブレーキ板手段が挟まれている魚釣り用スピニングリールを提供することができる。それにより、前記調整ノブと前記ブレーキ手段と前記止め板とを前記定位手段として前記スプールを前記往復動軸の他端部の所定位置に定位させると同時に、前記ヘッド部を回転により前記第１の開口端に対し進めたり退けたりすると、前記突柱の前記第１のブレーキ板手段を前記仕切り板に押し付ける力、及び、前記第２の開口端の前記第２のブレーキ板手段を前記止め板に押し付ける力を同時に変更させ、前記２のブレーキ板手段の前記スプールに対する挟持力を調整し、スプールの回転への制動力に対する調整手段として使用することができ、また、その制動機構の制動力がその釣糸を巻き付けるための部分内のほぼ中央位置ばかりでなく、他にも、前記第２の室と前記囲い筒との境界部あたりにかかり、制動力が大幅に高まる一方、逆転に対抗しつつある時、スプールが往復動軸上に穏やかに回転することもできる。
【発明を実施するための最良の形態】
【００１８】
以下、本発明の好ましい実施形態を詳しく説明する。なお、以下の説明においては、そのサイズに拘わらず、略同一の機能及び構成を有する構成要素については、同一符号を付し、重複説明は必要な場合にのみ行う。
【００１９】
図４から図８までに示すのは、本発明の魚釣り用スピニングリールの好ましい実施形態である。該実施形態例の魚釣り用スピニングリール３０は、本体３１と、該本体３１に取付けられている回転操作用のハンドル３２と、該ハンドル３２の回転操作に連動回転されるように該本体３１に取付けられているローター３３と、その一端部が該ハンドル３２に連動し、該ハンドル３２の回転操作に伴ってその軸線方向に往復動することができるように該本体３１に設けられている往復動軸３５と、該往復動軸３５の他端部の所定位置に定位手段（後に説明する）によって定位されると共に回転可能に外嵌していて該往復動軸３５の往復動に伴って往復動することができるスプール４０と、該ローター３３の回転と共に該スプール４０の周りに回転することができるように設けられていて釣糸を該スプール４０に案内して巻き付けるベール手段３４とを備えている。この実施形態においては、前記往復動軸３５が前記ローター３３の中心部から突出してローター３３の軸線方向に延伸するように前記本体３１に設けられている例が示されている。この構造によると、前記往復動軸３５は、前記ハンドル３２が回転操作されると、そのローター３３内側の一端部が前記ハンドル３２に連動されて、前記ローター３３の軸線延伸方向上に往復動することができる。また、前記スプール４０は前記往復動軸３５の他端部の所定位置に回転可能に外嵌しているため、該往復動軸３５の往復動に伴って前記ローター３３の軸線延伸方向上に往復動することができる。それと同時に、前記ベール手段３４は前記ローター３３の回転と共に前記スプール４０の周りに回転しながら釣糸を前記スプール４０に案内して巻き付けることができる。
【００２０】
この実施形態の魚釣り用スピニングリール３０における前記スプール４０は円筒体であり、該円筒体の前記往復動軸３５の他端部の方にある第１端に第１の開口端４７となり、前記一端部の方にある第２端に第２の開口端４６となっている。前記円筒体スプール４０には、釣糸を巻き付けるための釣糸巻付け部４２があり、且つ、前記第２の開口端４６の端縁から輻射方向に張出しになってから前記ローター３３の周りまでに延長してなる囲い筒４１が形成されている。即ち、前記囲い筒４１は前記ローター３３の周りに回転することができる。前記釣糸巻付け部４２内は、図７に示すように、それと一体に形成された仕切り板４４によって前記往復動軸３５の他端部の側から前記一端部の側へとブレーキ室としての第１室４２２と同軸の内外２筒を有する二重円筒構造の第２室４２１とに分けられている。即ち、図示のように、前記仕切り板４４には、その中心部から前記往復動軸３５の一端部へと前記第２室４２１の軸線に沿って延伸してなった内筒４５が形成されている。
【００２１】
また、図６と図７に示すように、前記内筒４５と前記往復動軸３５との間には、該内筒４５の内壁から前記往復動軸３５の内壁へ延伸してなった仕切り壁４５１によって隔離されるように二つの軸受け５０が内設されており、即ち前記内筒４５は、該二つの軸受け５０を介して前記往復動軸３５の他端部に回転可能に外嵌している。それにより、スプール４０が引っかけた魚の引き力で釣糸の繰り出し方向へ回転されるいわゆる逆転に対抗しつつある時、前記スプール４０が前記往復動軸３５上にスムーズに回転できる。また、図示から分かるように、この実施形態例に前記軸受け５０として使用されているのはボールベアリングである。
【００２２】
また、前記往復動軸３５の前記他端部の、前記第１室４２２内にある先端部に雄ネジがついており、前記第２室４２１の前記一端部へ向かう側の室外に止め板３６が張出しになっている。図示のように、前記往復動軸３５の前記先端部と該先端部から前記止め板３６までに延伸した部分はすべて偏平の対称両面を有するように形成されている。これは、下記ブレーキ板手段６１，６２に形成されている非円径の中心孔と合わせ、前記往復動軸３５の前記他端部に取付けられているブレーキ板手段６１，６２を回動不能にさせるためである。
【００２３】
そしてまた、前記第１の開口端４７より大きくて前記スプール４０外に置かれているヘッド部７１と、該ヘッド部７１の中心部から前記第１の開口端４７を経由して前記第１室４２２内に突入し、且つ、前記雄ネジ付きの先端部にネジ付けられている雌ネジ付きの突柱７２とからなった調整ノブ７０が設けられている。前記ヘッド部７１を回転することにより、前記調整ノブ７０全体を前記第１の開口端４７に対し進めたり退けたりさせることができる。
【００２４】
更に、図７から分かるように、前記往復動軸３５上の、前記ブレーキ室としての第１室４２２内、及び、前記第２の開口端４６と前記止め板３６との間に、前記スプール４０を制動するための第１と第２のブレーキ板手段６１，６２がそれぞれ設けられている。前記第１のブレーキ板手段６１は、第１のテフロン（登録商標）板６１１と第１の押さえ板６１２とから合わせてなって前記突柱７２と前記仕切り板４４との間に挟まれており、且つ、該第１のテフロン（登録商標）板６１１が前記仕切り板４４に当接しており、該第１の押さえ板６１２が前記突柱７２に当接している。前記第２のブレーキ板手段６２は、第２のテフロン（登録商標）板６２１と第２の押さえ板６２２とから合わせてなって前記第２の開口端４６と前記止め板３６との間に挟まれており、且つ、該第２のテフロン（登録商標）板６２１が前記第２の開口端４６端縁の張出し部に当接しており、該第２の押さえ板６２２が前記止め板３６に当接している。それにより、前記調整ノブ７０と前記第１と第２のブレーキ板手段６１，６２と前記止め板３６とを前記定位手段として前記スプール４０を前記往復動軸３５の他端部の所定位置に定位させることができる。また、前記ヘッド部７１を回転して前記調整ノブ７０全体を前記第１の開口端４７に対して進ませることにより、前記突柱７２が前記第１のブレーキ板６１を前記仕切り板４４に押し付け、且つ、前記第２の開口端４６が前記第２のブレーキ板６２を前記止め板３６に押し付けるので、前記スプール４０に対する制動力が強くなる。逆に、前記ヘッド部７１を反転して前記調整ノブ７０全体を前記第１の開口端４７に対して退けることにより、前記スプール４０に対する制動力を緩めることができる。
【００２５】
更にも、図５と図７に示すように、前記第１の開口端４７内に環状溝４３が形成されており、前記往復動軸３５上の前記第１の押さえ板６１２の外側に止めリング５１が前記環状溝４３１内に突入して係止されるように設置されている。それにより、前記第１のブレーキ板手段６１が前記スプール４０から外れることを防止することができる。前記内筒４５の前記ローター３３へ向いている開口縁にも止めリング５２が内設されていて、前記二つの軸受け５０うちの前記開口縁に近づいている一つが前記内筒４５から外れることを防止することができる。
【００２６】
上記構造によると、前記調整ノブ７０と前記第１と第２のブレーキ板手段６１，６２と前記止め板３６とを前記定位手段として前記スプール４０を前記往復動軸３５の他端部の所定位置に定位させると同時に、前記ヘッド部７１を回転により前記第１の開口端４７に対し進めたり退けたりすると、前記突柱７２の前記第１のブレーキ板手段６１を前記仕切り板４４に押し付ける力、及び、前記第２の開口端４６の前記第２のブレーキ板手段６２を前記止め板３６に押し付ける力を同時に変更させ、前記２つのブレーキ板手段６１，６２の前記スプール４０に対する挟持力を調整し、スプール４０の回転への制動力に対する調整手段として使用することができる。
【産業上の利用可能性】
【００２７】
前記実施形態から分かるように、本発明の魚釣り用スピニングリールは、ブレーキ板手段の仕切り板に対する摩擦面積を大くさせて、スプールの回転に対する制動力を増強し、且つ、内筒は破裂し難く、そして、逆転に対抗しつつある時、スプールが偏りがなく往復動軸上に穏やかに回転することができるため、それにより、魚釣りをする時、引っかけた魚の引き力によるスプールの逆転をある程度制動し、釣糸が引張られて破断しない範囲内に減速させるための制動力を容易に調整することができる。
【００２８】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００２９】
【図１】従来の魚釣り用スピニングリールの組立済みの斜視図である。
【図２】従来の魚釣り用スピニングリールの分解斜視図である。
【図３】従来の魚釣り用スピニングリールの一部拡大側面図である。
【図４】本発明の魚釣り用スピニングリールの好ましい実施形態を示す組立済みの斜視図である。
【図５】前記実施形態の分解斜視図である。
【図６】前記実施形態の一部裁断側面図である。
【図７】前記実施形態における一部拡大断面図である。
【符号の説明】
【００３０】
１０        魚釣り用スピニングリール
１１        本体
１２        ハンドル
１３        ローター
１４        ベール手段
１５        往復動軸
１５１    止め板
２１        スプール
２１１    囲い筒
２１２    釣糸巻付け部
２１４    仕切り板
２１５    内筒
２２        ブレーキ板手段
２３        調整ノブ
２３１    ヘッド部
２３２    突柱
３０        魚釣り用スピニングリール
３１        本体
３２        ハンドル
３３        ローター
３４        ベール手段
３５        往復動軸
３６        止め板
４０        スプール
４１        囲い筒
４２        釣糸巻付け部
４２１    第２室
４２２    第１室
４３        環状溝
４４        仕切り板
４５        内筒
４５１    仕切り壁
４６        第２の開口端
４７        第１の開口端
５０        軸受け
５１        止めリング
５２        止めリング
６１        第１のブレーキ板手段
６１１    第１のテフロン（登録商標）板
６１２    第１の押さえ板
６２        第２のブレーキ板手段
６２１    第２のテフロン（登録商標）板
６２２    第２の押さえ板
７０        調整ノブ
７１        ヘッド部
７２        突柱
【図１】
2005058087.tif 000003
【図２】
2005058087.tif 000004
【図３】
2005058087.tif 000005
【図４】
2005058087.tif 000006
【図５】
2005058087.tif 000007
【図６】
2005058087.tif 000008
【図７】
2005058087.tif 000009
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
本体と、該本体に取付けられている回転操作用のハンドルと、該ハンドルの回転操作に連動回転されるように該本体に取付けられているローターと、該ローターの中心部から突出してローターの軸線方向に延伸し、且つ、そのローター内側の一端部が該ハンドルに連動し、該ハンドルの回転操作に伴って該ローターの軸線延伸方向上に往復動することができるように該本体に設けられている往復動軸と、該往復動軸の他端部の所定位置に定位手段によって定位されると共に回転可能に外嵌していて該往復動軸の往復動に伴って該ローターの軸線延伸方向上に往復動することができるスプールと、該ローターの回転と共に該スプールの周りに回転することができるように設けられていて釣糸を該スプールに案内して巻き付けるベール手段とを備えてなり、
前記往復動軸は、前記他端部であって上記スプールの前記第１室内に位置する先端部に雄ネジが形成してあり、且つ、前記第２室の前記一端部へ向かう側の室外に止め板が張出しになっており、
ヘッド部と該ヘッド部の中心部から前記第１の開口端を経由して前記第１室内に突入し且つ雌ネジ付きの突柱とを有する調整ノブが、該雌ネジを前記往復動軸の先端部の雄ネジに螺合してある構成である魚釣り用スピニングリールにおいて、
前記スプールは、円筒体であり、その釣糸を巻き付けるための部分内が、仕切り板によって前記他端部の側から前記一端部の側へのブレーキ室としての第１室と該仕切り板から前記一端部の側の第２室とに分けられており、且つ、該第１室は前記他端部の方に第１の開口端を有し、該第２室は前記一端部の方に第２の開口端を有し、且つ、上記仕切り板の中心部から前記往復動軸の一端部へと前記第２室の軸線に沿って延伸してなった内筒が形成してあり、且つ、前記内筒の内周側には、仕切り壁によって隔離されて二つの軸受けが内設されており、該二つの軸受けによって上記往復動軸に回転可能に外嵌してある構成であり、
前記スプールの第１室内に収まって、前記突柱と前記仕切り板との間に挟まれている第１のブレーキ板手段と、前記スプールの前記第２の開口端と前記止め板との間に挟まれている第２のブレーキ板手段とを有し、前記調整ノブ側から、上記第１のブレーキ板手段、前記スプールの内筒内の上記の二つの軸受け、上記第２のブレーキ板手段の順で並んだ構成であり、
前記調整ノブと前記ブレーキ手段と前記止め板とを前記定位手段として前記スプールを前記往復動軸の他端部の所定位置に定位させると同時に、前記ヘッド部を回転により前記第１の開口端に対し進めたり退けたりすると、前記突柱の前記第１のブレーキ板手段を前記仕切り板に押し付ける力、及び、前記第２の開口端の前記第２のブレーキ板手段を前記止め板に押し付ける力を同時に変更させ、前記２つのブレーキ板手段の前記スプールに対する挟持力を調整し、スプールの回転に対する制動力を調整する構成としたことを特徴とする魚釣り用スピニングリール。
【手続補正２】
【補正対象書類名】明細書
【補正対象項目名】００１４
【補正方法】変更
【補正の内容】
【００１４】
前記目的を達成するために、本考案者は、本体（３１）と、該本体に取付けられている回転操作用のハンドル（３２）と、該ハンドルの回転操作に連動回転されるように該本体に取付けられているローター（３３）と、該ローターの中心部から突出してローターの軸線方向に延伸し、且つ、そのローター内側の一端部が該ハンドルに連動し、該ハンドルの回転操作に伴って該ローターの軸線延伸方向上に往復動することができるように該本体に設けられている往復動軸（３５）と、該往復動軸の他端部の所定位置に定位手段（３６）によって定位されると共に回転可能に外嵌していて該往復動軸の往復動に伴って該ローターの軸線延伸方向上に往復動することができるスプール（４０）と、該ローターの回転と共に該スプールの周りに回転することができるように設けられていて釣糸を該スプールに案内して巻き付けるベール手段（３４）とを備えてなり、
前記往復動軸（３５）は、前記他端部であって上記スプール（４０）の前記第１室（４２２）内に位置する先端部に雄ネジが形成してあり、且つ、前記第２室の前記一端部へ向かう側の室外に止め板（３６）が張出しになっており、
ヘッド部（７１）と該ヘッド部の中心部から前記第１の開口端を経由して前記第１室内に突入し且つ雌ネジ付きの突柱（７２）とを有する調整ノブ（７０）が、該雌ネジを前記往復動軸（３５）の先端部の雄ネジに螺合してある構成である魚釣り用スピニングリールにおいて、
前記スプール（４０）は、円筒体であり、その釣糸を巻き付けるための部分内が、仕切り板（４４）によって前記他端部の側から前記一端部の側へのブレーキ室としての第１室（４２２）と該仕切り板（４４）から前記一端部の側の第２室（４２１）とに分けられており、且つ、該第１室（４２２）は前記他端部の方に第１の開口端（４７）を有し、該第２室（４２１）は前記一端部の方に第２の開口端（４６）を有し、且つ、上記仕切り板（４４）の中心部から前記往復動軸（３５）の一端部へと前記第２室（４２１）の軸線に沿って延伸してなった内筒（４５）が形成してあり、且つ、前記内筒（４５）の内周側には、仕切り壁（４５１）によって隔離されて二つの軸受け（５０）が内設されており、該二つの軸受け（５０）によって上記往復動軸（３５）に回転可能に外嵌してある構成であり、
前記スプール（４０）の第１室（４２２）内に収まって、前記突柱（７２）と前記仕切り板（４４）との間に挟まれている第１のブレーキ板手段（６１）と、前記スプール（４０）の前記第２の開口端（４６）と前記止め板（３６）との間に挟まれている第２のブレーキ板手段（６２）とを有し、前記調整ノブ（７０）側から、上記第１のブレーキ板手段（６１）、前記スプール（４０）の内筒（４５）内の上記の二つの軸受け（５０）、上記第２のブレーキ板手段（６２）の順で並んだ構成であり、
前記調整ノブ（７０）と前記ブレーキ手段（６１，６２）と前記止め板（３６）とを前記定位手段（３６）として前記スプール（４０）を前記往復動軸（３５）の他端部の所定位置に定位させると同時に、前記ヘッド部（７１）を回転により前記第１の開口端（４７）に対し進めたり退けたりすると、前記突柱の前記第１のブレーキ板手段（６１）を前記仕切り板（４４）に押し付ける力、及び、前記第２の開口端（４６）の前記第２のブレーキ板手段（６２）を前記止め板（６３）に押し付ける力を同時に変更させ、前記２つのブレーキ板手段（６１，６２）の前記スプールに対する挟持力を調整し、スプールの回転に対する制動力を調整する構成としたことを特徴とする魚釣り用スピニングリールを提供する。
【手続補正３】
【補正対象書類名】明細書
【補正対象項目名】００１７
【補正方法】削除
【補正の内容】
【手続補正４】
【補正対象書類名】明細書
【補正対象項目名】００２２
【補正方法】変更
【補正の内容】
【００２２】
また、前記往復動軸３５の前記他端部の、前記第１室４２２内にある先端部に雄ネジがついており、前記第２室４２１の前記一端部へ向かう側の室外に止め板３６が張出しになっている。図示のように、前記往復動軸３５の前記先端部と該先端部から前記止め板３６までに延伸した部分はすべて偏平の対称両面を有するように形成されている。これは、下記ブレーキ板手段６１，６２に形成されている非円形の中心孔と合わせ、前記往復動軸３５の前記他端部に取付けられているブレーキ板手段６１，６２を回動不能にさせるためである。